(57)【要約】【課題】放射性物質を含む被処理物を効率的に袋詰めすることを可能にする放射性物質を含む被処理物の袋詰めシステムを提供する。【解決手段】放射性物質を含む被処理物を袋体１に収容するためのシステムＡであって、上部が開口して形成された搬送容器３を所定位置に搬送するための容器搬送装置４と、容器搬送装置４によって所定位置に搬送された搬送容器３内の袋体１に被処理物を投入する被処理物搬送投入装置５とを備える。搬送容器３が袋体１の周囲の放射線の空間線量率を計測する放射線量検出器７を備え、且つ、袋体１に被処理物を投入するとともに被処理物の重量を計測する重量計測手段１１を備える。【選択図】図１
2018063141.tif 000002
【特許請求の範囲】
【請求項１】
放射性物質を含む被処理物を袋体に収容するためのシステムであって、
上部が開口して形成された搬送容器を所定位置に搬送するための容器搬送装置と、
前記容器搬送装置によって所定位置に搬送された前記搬送容器内の前記袋体に前記被処理物を投入する被処理物搬送投入装置とを備えるとともに、
前記搬送容器が前記袋体の周囲の放射線の空間線量率を計測する放射線量検出器を備え、且つ、前記袋体に前記被処理物を投入するとともに前記被処理物の重量を計測する重量計測手段を備えることを特徴とする放射性物質を含む被処理物の袋詰めシステム。
【請求項２】
請求項１記載の放射性物質を含む被処理物の袋詰めシステムにおいて、
前記放射線量検出器が、放射線の空間線量率を計測するシンチレーションファイバーに放射線量率の大きさに応じて検出した位置に相当する位置で発色するＬＥＤを組み合わせてなるＬＥＤシンチレーションファイバー検出器であることを特徴とする放射性物質を含む被処理物の袋詰めシステム。
【請求項３】
請求項１または請求項２に記載の放射性物質を含む被処理物の袋詰めシステムにおいて、
前記搬送容器の内面が潤滑性プラスチック板で形成されていることを特徴とする放射性物質を含む被処理物の袋詰めシステム。
【請求項４】
請求項１から請求項３のいずれか一項に記載の放射性物質を含む被処理物の袋詰めシステムにおいて、
前記被処理物搬送投入装置と前記搬送容器の間に介設され、前記袋体に前記被処理物を投入する際の前記被処理物の拡散を防止するための粉じん拡散防止装置を備えるとともに、該粉じん拡散防止装置が伸縮可能な防塵カバーを備えて構成されていることを特徴とする放射性物質を含む被処理物の袋詰めシステム。
【発明の詳細な説明】
【技術分野】
【０００１】
本発明は、放射性物質を含む被処理物を袋詰めするためのシステムに関する。
【背景技術】
【０００２】
従来、建設分野などでは、各種廃棄物などの被処理物を収容する手段としてフレキシブルコンテナバッグなど（袋体）が多用されている。また、廃棄物を不燃物や可燃物に仕分けしながらそれぞれフレキシブルコンテナバッグに収容し、これら仕分けした廃棄物をフレキシブルコンテナバッグに収容した状態で処理場に運び、保管・処理するようにしている（例えば、特許文献１参照）。
【０００３】
また、放射性廃棄物処理施設等においても放射性物質を含む廃棄物や土壌等の被処理物を仮置き保管するために、この被処理物をフレキシブルコンテナバッグに詰めて封入するようにしている。
【先行技術文献】
【特許文献】
【０００４】
【特許文献１】特開２０１３−１３０４０３号公報
【発明の概要】
【発明が解決しようとする課題】
【０００５】
しかしながら、放射性廃棄物処理施設等において、放射性物質を含む被処理物をフレキシブルコンテナバッグに詰める袋詰め作業は重機を用いて行われ、さらに、封入後の放射線量・濃度・重量の測定を個別に手作業で行っている。
【０００６】
このため、個々の作業エリアを個別に確保する必要が生じ、限られた敷地内での場所の確保が困難になるケースがあった。
【０００７】
また、放射性物質で汚染された土地などを除染して大量に発生する土砂や落葉・落枝、草木などの放射性物質を含む被処理物（汚染物、廃棄物）を袋詰めする必要が生じる場合など、作業量が増加すると、個々の作業を個別に行う労力分散によって作業効率が著しく悪化し、工期やコストの増加を招くという問題があった。さらに、作業効率の悪化に伴い、長時間、手作業を行う作業者の放射線被ばく量の増加が大きな問題となる。
【０００８】
本発明は、上記事情に鑑み、放射性物質を含む被処理物を効率的に袋詰めすることを可能にする放射性物質を含む被処理物の袋詰めシステムを提供することを目的とする。
【課題を解決するための手段】
【０００９】
上記の目的を達するために、この発明は以下の手段を提供している。
【００１０】
本発明の放射性物質を含む被処理物の袋詰めシステムは、放射性物質を含む被処理物を袋体に収容するためのシステムであって、上部が開口して形成された搬送容器を所定位置に搬送するための容器搬送装置と、前記容器搬送装置によって所定位置に搬送された前記搬送容器内の前記袋体に前記被処理物を投入する被処理物搬送投入装置とを備えるとともに、前記搬送容器が前記袋体の周囲の放射線の空間線量率を計測する放射線量検出器を備え、且つ、前記袋体に前記被処理物を投入するとともに前記被処理物の重量を計測する重量計測手段を備えることを特徴とする。
【００１１】
また、本発明の放射性物質を含む被処理物の袋詰めシステムにおいては、前記放射線量検出器が、放射線の空間線量率を計測するシンチレーションファイバーに放射線量率の大きさに応じて検出した位置に相当する位置で発色するＬＥＤを組み合わせてなるＬＥＤシンチレーションファイバー検出器であることが望ましい。
【００１２】
さらに、本発明の放射性物質を含む被処理物の袋詰めシステムにおいては、前記搬送容器の内面が潤滑性プラスチック板で形成されていることがより望ましい。
【００１３】
また、本発明の放射性物質を含む被処理物の袋詰めシステムにおいては、前記被処理物搬送投入装置と前記搬送容器の間に介設され、前記袋体に前記被処理物を投入する際の前記被処理物の拡散を防止するための粉じん拡散防止装置を備えるとともに、該粉じん拡散防止装置が伸縮可能な防塵カバーを備えて構成されていることが望ましい。
【発明の効果】
【００１４】
本発明の放射性物質を含む被処理物の袋詰めシステムにおいては、従来と比較し、放射性物質を含む被処理物を効率的に袋詰めすることが可能になる。
【図面の簡単な説明】
【００１５】
【図１】本発明の一実施形態に係る放射性物質を含む被処理物の袋詰めシステムを示す正面図である。
【図２】本発明の一実施形態に係る放射性物質を含む被処理物の袋詰めシステムを示す側面図である。
【図３】本発明の一実施形態に係る放射性物質を含む被処理物の袋詰めシステムの円筒容器（搬送容器）を示す縦断面図である。
【図４】図３のＸ１−Ｘ１線矢視図である。
【図５】図３のＳ部の拡大図である。
【発明を実施するための形態】
【００１６】
以下、図１から図５を参照し、本発明の一実施形態に係る放射性物質を含む被処理物の袋詰めシステムについて説明する。
【００１７】
ここで、本実施形態は、例えば、放射性廃棄物処理施設等において、放射性物質を含む廃棄物や土壌等の被処理物を仮置き保管するために、放射性物質を含む被処理物を効率的にフレキシブルコンテナバッグに詰めるためのシステム（装置）に関するものである。
【００１８】
はじめに、本実施形態のフレキシブルコンテナバッグ１は、図１に示すように、可撓性を有するシート状部材を用いて形成され、非使用時には折り畳み可能で、使用時（被処理物の収容時）には内容量を大きくして多量の物を収容できる袋体として形成されている。また、このフレキシブルコンテナバッグ１は、例えば、有底円筒状、有底四角筒状に形成されている。
【００１９】
そして、本実施形態の放射性物質を含む被処理物の袋詰めシステムにおいては、上記のようなフレキシブルコンテナバッグへの被処理物の投入操作を自動化するとともに、被処理物をフレキシブルコンテナバッグに投入する同工程で放射線量率・濃度・重量の測定を行うように構成されている。
【００２０】
具体的に、本実施形態の放射性物質を含む被処理物の袋詰めシステムＡは、図１及び図２に示すように、レール２上で２つの円筒容器（搬送容器）３を個別に左右に移動させる容器搬送装置４と、中央の所定位置に円筒容器３が搬送されて位置決めされるとともに、円筒容器３内に広げられたフレキシブルコンテナバッグ１内に被処理物を上部から投入する被処理物搬送投入装置５と、フレキシブルコンテナバッグ１内に被処理物を投入する際に粉じん拡散を防止するための粉じん拡散防止装置６とを備えている。
【００２１】
本実施形態の円筒容器３は、図１から図５に示すように、放射線量率を測定するための放射線量検出器７を備えて形成されている。
【００２２】
具体的に、本実施形態の円筒容器３は、容器本体の内面が超高分子量ポリエチレンなどを用いてなる潤滑性プラスチック板８で形成されている。
【００２３】
また、潤滑性プラスチック板８の周囲にシンチレーションファイバー７ａが巻き付けて取り付けられ、さらに、潤滑性プラスチック板８との間にスペーサ９を介して円筒容器３の外面を形成する厚さ６ｍｍ程度の鋼板１０を一体に設け、鋼板１０の外面にＬＥＤラインテープ７ｂを巻き付けて、円筒容器３の容器本体が形成されている。
【００２４】
そして、本実施形態では、シンチレーションファイバー７ａとＬＥＤラインテープ７ｂによって放射線量検出器７が構成され、このＬＥＤを組み合わせたＬＥＤシンチレーションファイバー検出器である細長い放射線量検出器７を容器本体の外周に巻付けて円筒容器３が構成されている。
【００２５】
また、この円筒容器３には、底部に、フレキシブルコンテナバッグ１に被処理物を投入するとともに重量を計測する重量計測手段１１が設けられている。さらに、円筒容器３には、円筒容器３に振動を与える振動発生手段が設けられている。また、円筒容器３には、その底部に、清掃時に使用する清掃孔１２が設けられている。
【００２６】
なお、放射線量検出器７と重量計測手段１１は、被処理物をフレキシブルコンテナバッグ１に投入して袋詰めする際に、ＬＥＤ発光制御回路、チャネル分析器、デジタル信号変換器、時間波高変換器などを備えた制御機器集合体１３に接続される。
【００２７】
本実施形態の被処理物搬送投入装置５は、ベルトコンベア（スチールベルトコンベアなど）を備え、放射性物質を含む被処理物を搬送し、容器搬送装置４の中央の所定位置に位置決めされた円筒容器３内のフレキシブルコンテナバッグ１に被処理物を上部から投入する。
【００２８】
粉じん拡散防止装置６は、被処理物搬送投入装置５のベルトコンベアから被処理物をフレキシブルコンテナバッグ１に投入する際に被処理物が飛散することを防止するためのものである。そして、本実施形態の粉じん拡散防止装置６は、図１及び図２に示すように、被処理物搬送投入装置５のベルトコンベアを収容する防塵カバー６ａと、防塵カバー６ａの先端開口に接続された防塵伸縮カバー（伸縮可能なカバー）６ｂを備えて構成されている。また、防塵伸縮カバー６ｂの先端部は、容器搬送装置４の中央の所定位置に位置決めされた円筒容器３の上端部に密着可能とされている。
【００２９】
上記のように構成した本実施形態の放射性物質を含む被処理物の袋詰めシステムＡでは、容器搬送装置４によって円筒容器３とともにフレキシブルコンテナバッグ１が所定位置に搬送されて位置決めされるとともに、被処理物搬送投入装置５によってフレキシブルコンテナバッグ１内に被処理物が投入される。
【００３０】
このとき、振動発生手段によって振動を与えることにより、被処理物をフレキシブルコンテナバッグ１の奥に詰込むようにし、満杯になった段階でフレキシブルコンテナバッグ１の口元を作業員の手作業あるいはロボットの遠隔操作などによって縛り上げるなどして閉じる。
【００３１】
そして、容器搬送装置４で被処理物を収容したフレキシブルコンテナバッグ１を移動するとともに、新たな円筒容器３及びフレキシブルコンテナバッグ１を中央の所定位置に位置決めし、上記の操作を繰り返し、フレキシブルコンテナバッグ１に被処理物を詰め込んでゆく。
【００３２】
ここで、本実施形態の放射性物質を含む被処理物の袋詰めシステムＡにおいては、被処理物搬送投入装置５のベルトコンベアから被処理物をフレキシブルコンテナバッグ１に投入する際に、被処理物が防塵カバー６ａ、防塵伸縮カバー６ｂの内部を通過してフレキシブルコンテナバッグ１に落下投入される。これにより、被処理物が外部に飛散することを防止できる。
【００３３】
また、本実施形態の放射性物質を含む被処理物の袋詰めシステムＡにおいては、放射線の空間線量率を測定するためのＬＥＤシンチレーションファイバーの放射線量検出器７が円筒容器３の周囲に取り付けられていることにより、フレキシブルコンテナバッグ１に被処理物を収容すると同時に、このフレキシブルコンテナバッグ１の周囲全体の放射線の空間線量率（放射線量率）を測定することができる。
【００３４】
また、検出器７の長さ方向で検出される放射線の空間線量率の大きさに応じて検出した位置に相当する位置でＬＥＤが発色（異なる色で発色）するため、長さ方向で検出される放射線の空間線量率の大きさ、位置、放射線の空間線量率の分布を色の違いによって表すことができる。これにより、作業員が視覚的に放射線量（放射線量の高低、分布）を把握できる。
【００３５】
さらに、容器搬送装置４あるいは円筒容器３の床部分に重量計測手段１１が設置されているため、フレキシブルコンテナバッグ１に被処理物を収容する際に、被処理物を投入して収容した後のフレキシブルコンテナバッグ１ひいては被処理物の重量を測定することができる。
【００３６】
これにより、フレキシブルコンテナバッグ１の周囲の放射線量率、重量の情報からフレキシブルコンテナバッグ１に収容した被処理物の放射能濃度を即時に算出することができる。
【００３７】
さらに、本実施形態の放射性物質を含む被処理物の袋詰めシステムＡにおいては、円筒容器３の内面が潤滑性プラスチック板８で形成されているため、フレキシブルコンテナバッグ１を滑らかに出し入れすることができる。
【００３８】
よって、本実施形態の放射性物質を含む被処理物の袋詰めシステムＡによれば、従来と比較し、放射性物質を含む被処理物を効率的に袋詰めすることが可能になる。
【００３９】
以上、本発明に係る放射性物質を含む被処理物の袋詰めシステムの一実施形態について説明したが、本発明は上記の一実施形態に限定されるものではなく、その趣旨を逸脱しない範囲で適宜変更可能である。
【００４０】
例えば、本実施形態では、被処理物を収容する袋体がフレキシブルコンテナバッグであるものとして説明を行ったが、フレキシブルコンテナバッグに限定する必要はなく、あらゆる袋体を対象にすることができる。
【００４１】
また、本発明に係る搬送容器は必ずしも容器本体が円筒状（有底円筒状）に形成された容器でなくてもよい。
【符号の説明】
【００４２】
１    フレキシブルコンテナバッグ（袋体）
２    レール
３    円筒容器（搬送容器）
５    被処理物搬送投入装置
６    粉じん拡散防止装置
７    放射線量検出器
７ａ  シンチレーションファイバー
７ｂ  ＬＥＤラインテープ
８    潤滑性プラスチック板
９    スペーサ
１０  鋼板
１１  重量計測手段
１２  清掃孔
１３  制御機器集合体
Ａ    放射性物質を含む被処理物の袋詰めシステム
【図１】
2018063141.tif 000003
【図２】
2018063141.tif 000004
【図３】
2018063141.tif 000005
【図４】
2018063141.tif 000006
【図５】
2018063141.tif 000007